(57)【要約】【課題】  特別な道具を必要とせず、買い物袋のみで買い物袋の開口部を容易に閉じることができ、且つ容易に開けることができる。【解決手段】  左右端は内折りのマチ３としてその上端延長を輪状の手提げ部４とし、左右の手提げ部の中央部に前後面を延接している凸片９，１１を形成した買い物袋１において、一方の凸片１１の内側面の一部に粘着材６を塗布し、その凸片１１を内側に折り曲げ、粘着材がついている凸片上部１０と粘着材がついてない凸片下部８を折り重ねて貼り付けることにより、粘着材６を粘着材がついてない凸片下部８で覆う。開口部を閉じるときは、凸片の取手部５を持ってめくるようにして引き剥がし、もう一方の凸片９またはそれに延接する買い物袋前面２の一部に粘着させることによって、買い物袋の口を閉じる。また開口部を開けるときは、凸片取手部５を持ってめくるようにして引き剥がす。【選択図】  図２
2006103790.tif 000002
【特許請求の範囲】
【請求項１】
左右端は内折りのマチ３としてその上端延長を輪状の手提げ部４とし、左右の手提げ部の中央部に前後面を延接している凸片９，１１を形成した買い物袋において、二つの凸片の内一方の凸片１１の内側面の一部に粘着材６を塗布した買い物袋。
【請求項２】
請求項１記載の買い物袋であって、粘着材を塗布した側の凸片１１を内側に折り曲げて、粘着材がついている凸片上部１０と粘着材がついてない凸片下部８を折り重ねて貼り付けることにより、粘着材６の表面を粘着材が付いてない凸片下部８で覆うことを特徴とする買い物袋。
【請求項３】
請求項１記載の買い物袋であって粘着材６を塗布する位置が、凸片１１の上端より２ｍｍ以上５０ｍｍ以下の間隔をあけた位置で塗布した買い物袋。
【発明の詳細な説明】
【技術分野】
【０００１】  本発明は買い物袋の開口部の凸片の一部に粘着材を塗布し、粘着材を塗布した側の凸片を内側に折り曲げ、粘着材がついている凸片部分と粘着材がついてない凸片部分を折り重ねて貼り付けることにより、引き剥がす迄粘着部の表面を粘着材がついてない凸片部分で覆うようにした買い物袋である。開口部を閉じるときは、凸片の取手部を持ってめくるようにして引き剥がし、もう一方の凸片またはそれに延接している買い物袋前面の一部に粘着させることにより、買い物袋の口を閉じる。また開口部を開けるときは、凸片取手部を持ってめくるようにして引き剥がす。これにより買い物袋の開口部を容易に開閉できる。
【背景技術】
【０００２】  量販店などで顧客に提供されている合成樹脂製の買い物袋（ポリ袋、レジ袋）の形状は、左右端は内折りのマチとして、その上端延長を輪状の手提げ部とし、また左右の手提げ部間の中央に前面、後面の中央部に凸片を形成している。【０００３】  この両凸片によって買い物袋を開口するとき引き剥がしやすくしている。また、この凸片同士を結んで結び目を作ることにより買い物袋の開口部を閉じる事ができる。【０００４】  開口部の凸片は、買い物袋から溢れそうな場合、購入物を自動車に載せる場合、購入物を自転車に載せる場合、電車に乗って購入物を持って帰る場合、遠距離まで持って帰る場合にはよく使用されるが、近距離で購入物が少ない場合は殆ど使われていないのが現状である。使用しない場合凸片が垂れ下がってだらしなく見える。また使用しない場合、袋を置いた時に袋から購入物がこぼれる場合がある。【０００５】  買い物袋の開口部を凸片同士で結んで結び目を作って口を閉ざすと、結び目の周りに皺ができる。また結び目のまわりが引っ張られて不格好になる。【０００６】  買い物袋の開口部を凸片同士で結んで結び目を作る事自体、煩わしく時間がかかる。【０００７】  買い物袋の開口部を凸片同士で結んだ後に購入物を取り出す時、結び目をほどくのが煩わしく時間がかかる。
【発明の開示】
【発明が解決しようとする課題】
【０００８】  買い物袋の開口部を凸片同士で結んで結び目を作る事により閉じているが、煩わしく時間がかかる。【０００９】  買い物袋の開口部を凸片同士で結んだ後に購入物を取り出す時、結び目をほどくのが煩わしく時間がかかる。【００１０】  本発明の目的は、前記従来例の不都合を解消し、特別な道具を必要とせず、買い物袋のみで買い物袋の開口部を容易に閉ざし、且つ容易に開けることができる買い物袋を提供することにある。
【課題を解決するための手段】
【００１１】  上記の問題を解決するため、第１に左右端は内折りのマチとして、その上端延長を輪状の手提げ部とし、また左右の手提げ部間の中央に前面、後面の中央部に凸片を形成している買い物袋において、一方の凸片の内側の一部に粘着材６を塗布し、粘着材を塗布した側の凸片１１を内側に折り曲げて、粘着材が付いている凸片上部１０と粘着材が付いてない凸片下部８を折り重ねて貼り付けることにより、粘着材６の表面を粘着材が付いてない凸片下部８で覆うこと、第２に粘着材６を塗布する位置が、凸片１１の上端より適度な間隔をあけて塗布すること、第３に粘着材を塗布してない位置で折り曲げることを要旨とするものである。【００１２】  請求項１記載の本発明によれば、二つの凸片の内一方の凸片の内側面の一部に粘着材を塗布することにより、この粘着部をもう一方の凸片９またはそれに延接されている買い物袋前面部２の一部に粘着させ買い物袋の口を閉じることができる。【００１３】  請求項２記載の本発明によれば、粘着材を塗布した側の凸片１１を内側に折り曲げ、凸片の粘着材が付いている凸片上部１０と粘着材が付いてない凸片下部８を折り重ねて貼り付けることによって、粘着部の表面を粘着材が付いてない凸片下部８で覆われる。これによって買い物袋に購入物を入れる時、購入物が粘着部に付着することなく買い物を入れることができる。【００１４】  請求項３記載の本発明によれば、粘着材６を塗布する位置が、凸片１１の上端より２ｍｍ以上５０ｍｍ以下の間隔をあけた位置で塗布することにより、粘着材が付いている凸片上部１０をめくるのに凸片上部１０の上端が取手部として利用でき、これを持って容易に引き剥がすことができる。【００１５】  また、凸片の取手部５を持ってめくるようにして引き剥がすことにより覆いがとれ、粘着部が現れ貼れる状態になる。これにより、買い物袋の開口部を容易に開閉できる。
【発明の効果】
【００１６】  本発明は、以上述べたように構成されているので、以下に記載されるような効果を奏する。【００１７】  買い物袋に購入物を入れて開口部を閉ざすとき、従来は凸片同士を結んで結び目を作らなければならなかったが、本発明では凸片取手部５を持って粘着部をめくるように引き剥がし、それをもう一方の凸片またはそれに延接する買い物袋前面の一部に粘着させることによって、買い物袋の開口部を閉じることができるので、容易に開口部を閉じることができ煩わしさがない。【００１８】  買い物袋の開口部を閉じるのに、短時間で処理できる。【００１９】  従来買い物袋の開口部を凸片同士で結んで結び目を作った後に購入物を取り出すとき、結び目をほどかなければならず、煩わしかったが、本発明では凸片取手部５を持って粘着部を引き剥がす事によりすばやく開口でき、煩わしさがない。【００２０】  買い物袋の開口部を開けるのに、短時間で処理できる。【００２１】  従来凸片同士を結んで結び目を作ると、結び目周辺に皺ができ且つ結び目のまわりが引っ張られて不格好であったが、本発明で開口部を閉じた場合、開口部周辺にできる皺はほとんどなく且つ結び目のまわりが引っ張られることがほとんどない。このため使用時及び再利用時に快適に利用できる。また本発明によって買い物袋に購入物を入れて開口部を閉じた場合、従来に比べ結び目がなく、皺がよらないのでスマートで綺麗に見える。【００２２】  買い物袋に購入物を入れる時、粘着部分に付着することなく購入物を買い物に入れることができる。【００２３】  上記機能を構成するのに粘着材の塗布を除いて、従来の買い物袋以外の物を使用しないので低コストでできる。【００２４】  購入物を入れるのに使用した後、ゴミ袋等に再利用する際袋の開閉が煩わしくなく、短時間で処理できる。【００２５】  従来は、買い物袋に購入物を入れた後買い物袋の開口部を凸片同士で結んで結び目を作るには、両手を要するため買い物袋が倒れないようにしてから両手を使って結ばなければならなかったが、本発明では凸片取手部５を持って引き剥がしてそれをもう一方の凸片またはそれに延接する買い物袋前面の一部に粘着させるだけでよいので、ほぼ片手で処理できる。このため、もう一方の手で買い物袋を支えることができる。【００２６】  幼児が買い物袋の開口部を両凸片同士使って結び目を作ること、結び目をほどくことは難しかったが、本発明の方法であれば買い物を行う事ができる幼児であれば容易に開口部の開閉を行うことができる。【００２７】  従来と同様に凸片同士を結んで結び目を作って開口部を閉ざすこともできる。【００２８】  買い物袋の口を閉じるのに短時間ででき、且つ片手で簡単に口を閉じることができるため、レジで店員が袋の口を閉じる等のサービスをすることが短時間で容易にできる。
【発明を実施するための最良の形態】
【００２９】  以下、本考案の実施の形態について説明する。図１は、本発明の粘着材を開口部の凸片の一部に塗布した買い物袋の使用前の状態を示す正面側からの射視図である。【００３０】  買い物袋１の全体外形は従来例とほぼ同じであり、主に薄膜状の高密度ポリエチレン（ＨＤＰＥ）を筒状にし、これを左右両端に内折りしたマチ３を形成して平坦状に潰した。【００３１】  買い物袋１の左右上端はマチ３と買い物袋前後面の２重膜で形成した輪状の手提げ部４が存在する。手提げ部４部分のマチは内側が切り出されているため、マチは前後面に分かれ、その上部は接着しているので、手提げ部４は輪状となる。【００３２】  買い物袋１の上端中央部には、方形の凸片９，１１が前後面を延接して形成されている。凸片１１は後面１２側の、凸片９は前面２側の凸片である。【００３３】  凸片１１の内側に凸片の上端から適当な間隔をあけて粘着材を塗布する。【００３４】  塗布した粘着材６から適当な間隔をあけて内側に折る。このとき凸片の粘着材が付いている凸片上部１０と粘着材が付いてない凸片下部８を折り重ねて貼り付けることにより粘着部の表面は粘着材が付いてない凸片下部８によって覆われる。この塗布する粘着材６は、もう一方の凸片９またはそれに延接されている買い物袋前面部２の一部に貼り付けたとき買い物袋にある程度の購入物を入れて持ち上げても剥がれない程度の粘着力を持たせる。【００３５】  買い物袋に購入物を入れる時は、開口部を開けそのままの状態で購入物を袋の中に入れる。この状態では粘着材６は、粘着材が付いてない凸片下部８に覆われているので粘着部に付着することなく購入物を入れることができる。【００３６】  図２は、図１の状態から凸片取手部５を手で持ってめくるようにして粘着部を引き剥がした状態を示す。【００３７】  図３は、図２の状態から凸片取手部５を手で持って粘着部をもう一方の凸片９またはそれに接続されている買物袋前面部２の一部に粘着させた状態を示す。これによって容易に買い物袋の開口部を閉じることができる。【００３８】  買い物袋の開口部を開けるときは、凸片取手部５を手で持って粘着部をめくるようにして引き剥がすことにより容易に開けることができる。【００３９】  粘着材は、めくるようにして引き剥がすと少しの力で剥がれるが、横からの引っ張りに対し強い力で引っぱってもなかなか剥がれない。この発明は、この原理を応用したものである。そこで実際粘着材は横からの引っ張りに対してどのぐらい耐えられるか実験を行った。実験における粘着材の大きさは縦幅２ｃｍ、横幅６ｃｍで、これを薄膜状の高密度ポリエチレンに塗布し、その上にもう一つの薄膜状の高密度ポリエチレンを貼りつけ重りをつけて下から引っ張り何キログラムまで粘着材が耐えられるかをテストした。その結果、上記の大きさの粘着材では、横からの引っ張りに対し７．４ｋｇまで耐えられた。また、めくるようにして引き剥がす時に必要な力も同様に力の向きを変えて測定した。その結果０．５ｋｇの力で剥がれる事がわかった。この結果、めくるようにして引き剥がす時と、横から引っ張るのとでは約１５倍程違いがある。これを応用する事により買い物袋の凸片部を引き剥がす時は少しの力で引き剥がす事がで��、且つ買い物袋の中に荷物をいれて激しく揺すっても簡単に剥がれない物ができる。【００４０】  粘着材の大きさが縦幅２ｃｍ、横幅６ｃｍの本発明どおりの買い物袋を作成し、その買い物袋に計１５ｋｇの本を中に入れて凸片に塗布した粘着材で開口部を閉じ１００回激しく揺するテストを行った。その結果剥がれることはなく買い物袋に購入物を多く入れても十分使用に耐えられる。
【産業上の利用可能性】
【００４１】本発明に係わる買い物袋は、工業的に量産することが可能であるため、産業上の利用可能性を有する。
【図面の簡単な説明】
【００４２】
【図１】  本発明の買い物袋の使用前の状態を示す正面側からの斜視図である。
【図２】  図１の状態から、購入物を入れ粘着材がついた凸片を引き剥がした状態を示した斜視図である。
【図３】  図２の状態から粘着材がついた凸片をもう一方の凸片またはそれに接延する買い物袋前面の一部に粘着させた状態を示す斜視図である。
【符号の説明】
【００４３】  １  買い物袋
２  買い物袋前面部
３  マチ
４  手提げ部
５  凸片取手部
６  粘着材
７  折れ線
８  凸片下部
９，１１  凸片
１０  凸片上部
１２  買い物袋後面部
【図１】
2006103790.tif 000003
【図２】
2006103790.tif 000004
【図３】
2006103790.tif 000005